Podtech/llm-jp-corpus-v4-ja_patent huggingface dataset:
(57)【要約】      （修正有）【課題】地下式消火栓筐体内に蓄積した雨水などを、エゼクターと消火栓の水を使用することにより効率よく排出する汚水排水設備を提供する。【解決手段】地下式消火栓筺体Ａ用の汚水排水設備は、差込式単口スタンドパイプに接続し使用するものである。ストレーナー７を地下式消火栓筐体内の汚水の中に挿入し、樹脂製ホース６の吐水側を地下式消火栓筐体の外の側溝に置く。次いで、消火栓ＢをハンドルＤにより開く。次いで止水栓を開き消火栓Ｂからの水をエゼクターに通水する。エゼクターの吸引力が発現し、地下式消火栓筐体内の汚水を吸い上げし、消火栓からの水とあわせ側溝に吐水する。【選択図】図１
0003180889.tif 000002
【実用新案登録請求の範囲】
【請求項１】
消火栓の吐水口にエゼクターの駆動水入口側を接続し、当該エゼクターの吸水口側に地下式消火栓の筐体内の汚水排水配管を接続し、当該エゼクターの混合流体出口側に前記筐体の外に排水するための混合排水配管を接続することを特徴とする地下式消火栓筐体内の汚水排水設備。
【請求項２】
前記駆動水入口側に流量調節弁を有することを特徴とする請求項１の地下式消火栓筐体内の汚水排水設備。
【考案の詳細な説明】
【技術分野】
【０００１】  本考案は、地下式消火栓の筐体内に溜まった汚水を短時間で排水する設備である。
【背景技術】
【０００２】  地下式消火栓筐体内に設置された消火栓は、雨水などの汚水が入り込み消火栓部が水没するため、火災時の消火栓の開栓操作に支障をきたす事がある。このため、必要に応じ動力ポンプなどを使用し地下式消火栓筐体内の排水が行われている。一方、火災時の消火のため消火栓が正常に作動するか吐水し、点検が行われている。これらの作業は、本作業のほかに準備や始末に時間がかかるので交通障害を発生している問題が従来からあった。これらの課題に対し、先行文献にある充電池を用いる電動ポンプによるものが紹介されているが、吐水確認と別の操作のため排水と吐水確認に時間がかかり、また充電池の管理など煩雑となるので問題は解決していなかった。
【先行技術文献】
【実用新案文献】
【０００３】
【実用新案文献１】
実開昭６２−２００７６０  公報
【実用新案文献２】
実開昭６３−１０６９  公報
【考案の概要】
【考案が解決しようとする課題】
【０００４】  これら従来の問題に対して、吐水用スタンドパイプの先端に排水具となるエゼクターを取り付けし、消火栓から吐水確認する水のエネルギーで地下式消火栓の筐体内の汚水を排水することで上述課題を解決しようとするものである。
【課題を解決するための手段】
【０００５】  具体的には、本考案は消火栓の吐水口にエゼクターの駆動水入口側を接続し、当該エゼクターの吸水口側に地下式消火栓の筐体内の汚水排水配管を接続し、当該エゼクターの混合流体出口側に前記筐体の外に排水するための混合排水配管を接続することを特徴とし、図１に示すように、地下式消火栓筐体Ａ内の消火栓Ｂに接続するスタンドパイプＣの先端に結合金具１、次いで消火栓の水量を調整する止水栓３、次いでエゼクター４、次いで樹脂製ホース６を接続する。さらにエゼクターの吸水口側に樹脂製ホース６とストレーナー７を取り付けし、消火栓Ｂを開閉するハンドルＤを回転させ吐水可能とする。ストレーナー７を地下式消火栓筐体内の汚水（図に示さない）に挿入し止水栓３を開ける。本操作により消火栓からエゼクターに通水され、樹脂製ホース６より吐水される。このときエゼクターの吸水口に負圧を発生させ、地下式消火栓筐体内の汚水をストレーナー７より吸引し、樹脂製ホース６により地下式消火栓筐体外に排出する。
【考案の効果】
【０００６】  上述の様に、本考案の地下式消火栓筐体内の汚水を排水することと、同時に消火栓の吐水確認を行うことから、点検作業の時間が短くなり、歩道や車道などの道路において交通障害を軽減できる。さらにスタンドパイプを消火と点検に兼用する事で道具数を減らす事ができる。また、電気を使用しないことから、電源の管理も不要となり煩雑さを改善できる。
【図面の簡単な説明】
【０００７】
【図１】本考案の地下式消火栓筐体内の排水設備の実施例を示す概略図である。
【図２】図１の拡大図である。
【考案を実施するための形態】
【０００８】  以下、図面に基づいて本考案の道路に設けられる消火栓の地下式消火栓筐体内に溜まる汚水の排水設備の考案を実施するための形態について説明する。図１において、道路Ｌに埋設される消火栓用地下式消火栓筐体Ａの中にある消火栓Ｂに開閉するハンドルＤと差込式単口スタンドパイプＣを装着する。スタンドパイプＣの吐水側に次からなる排水設備を装着する。排水設備は、結合金具１にニップル継手２を用い止水栓３を取り付ける。次いで止水栓３の反対側にエゼクター４の駆動水入口側４１にニップル継手２を用い取り付ける。エゼクターの混合流体出口側４２にソケット継手５、ホースニップル８、さらに樹脂製ホース６を長さ２ｍに取り付けした。一方エゼクター４の吸水口側４３に樹脂製ホースニップル９を取り付けし、さらに樹脂製ホース６を長さ２ｍで取り付け反対側にストレーナー７を取り付けたものである。ねじ込み継手部にシールテープを用いた。
本考案の排水設備は、差込式単口スタンドパイプ２に接続し使用するものである。ストレーナー７を地下式消火栓筐体内の汚水の中に挿入し、樹脂製ホース６の吐水側を地下式消火栓筐体の外の側溝（図示せず）に置いた。次いで、消火栓ＡをハンドルＤにより開く。次いで止水栓４を開き消火栓からの水をエゼクターに通水する。エゼクターの吸引力が発現し、地下式消火栓筐体内の汚水を吸い上げし、消火栓からの水とあわせ側溝に吐水する。地下式消火栓筐体から汚水が吸い上げられ排水した。
【符号の説明】
【０００９】Ｌ・・・道路  Ａ・・・消火栓用地下式消火栓筐体  Ｂ・・・消火栓  Ｃ・・・スタンドパイプ  Ｄ・・・ハンドル  １・・・結合金具  ２・・・ニップル継手  ３・・・止水栓  ４・・・エゼクター  ５・・・ソケット継手  ６・・・樹脂製ホース  ７・・・ストレーナー  ４１・・・駆動水入口側  ４２・・・混合流体出口側４３・・・吸水口側  ８・・・ホースニップル  ９・・・ホースニップル
【図１】
0003180889.tif 000003
【図２】
0003180889.tif 000004
(57)【要約】      （修正有）【課題】家庭菜園などで手軽に利用できるように、構造が簡単で、軽量かつ組み立てが容易で、しかも強度的にも十分対応でき、しかもその長さを容易に継ぎ足すことができるようにした、安価な簡易ハウスを提供する。【解決手段】矩形枠体１と、同枠体上１にアーチ状に取り付けられた弾性線材からなる梁本体２とを備え、前記弾性線材は斜交するように取り付けられて互いに２か所以上で交差しているとともに、互いの交差部は係止材４で係止され、前記線材は、２本の弾性線材を捩じって構成され、前記係止材４は、コイル状の弾性線材を折り曲げて形成したこと。【選択図】図１
0003180884.tif 000002
【実用新案登録請求の範囲】
【請求項１】
矩形枠体と、同枠体上にアーチ状に取り付けられた弾性線材からなる梁本体とを備え、前記弾性線材は斜交するように取り付けられて互いに２か所以上で交差しているとともに、互いの交差部は係止材で係止されていることを特徴とする簡易ハウス。
【請求項２】
前記弾性線材は、２本の弾性線材を捩じって構成されていることを特徴とする請求項１に記載の簡易ハウス。
【請求項３】
前記係止材は、コイル状の弾性線材を折り曲げて形成されていることを特徴とする請求項１または請求項２に記載の簡易ハウス。
【考案の詳細な説明】
【技術分野】
【０００１】  本発明は、植物の育成に利用する組み立て式の簡易ハウスに関する。
【背景技術】
【０００２】  一般に、野菜，花等の植物を育成，栽培するには、地上にアーチ状のパイプからなる骨組を多数地中に突き刺して起立させ、このアーチ状の骨組上に透光性のシートや網を展張させるのが一般的であった。【０００３】  特に、最近は、家庭用のミニハウスとしては、大型のハウス用のアーチパイプに比べて比較的小さいアーチ状の梁材を利用した簡易ハウスで、平行な一対のレール状枠体と、この枠体上に平行に起立する複数の梁材と、この梁材上に展張した透光性シートとからなるものがある。（特許文献１参照）【０００４】  又、構造が簡単であり、部品点数が少なく、加工性，組付性が向上し、組立てた状態でも簡単に搬送でき、安価な簡易ハウスとして、梁本体の両端に設けた波形又は台形状の係止線条を設けたものも提案されている。（特許文献２参照）。
【先行技術文献】
【０００５】
【特許文献１】特開２００１−１２００８０号公報
【特許文献２】特開２００７−２０２５４９号公報
【考案の概要】
【考案が解決しようとする課題】
【０００６】  しかしながら、従来のこのような簡易ハウスは、枠体を含めた重量が重く、婦女子が取り扱うには無理があった。また、アーチ状の梁本体は、お互いに平行に取り付けられているために強度的にどうしても弱いという欠点があった。【０００７】  そこで、本考案の目的は、家庭菜園などで手軽に利用できるように、構造が簡単で、軽量かつ組み立てが容易で、しかも強度的にも十分対応でき、しかもその長さを容易に継ぎ足すことができるようにした、安価な簡易ハウスを提供することである。
【課題を解決するための手段】
【０００８】  上記の目的を達成するため、本考案に係る簡易ハウスは、矩形枠体と、同枠体上にアーチ状に取り付けられた弾性線材からなる梁本体とを備え、前記弾性線材は斜交するように取り付けられて互いに２か所以上で交差しているとともに、互いの交差部は係止材で係止され、前記線材は、２本の弾性線材を捩じって構成され、前記係止材は、コイル状の弾性線材を折り曲げて形成したことを特徴とするものである。
【考案の効果】
【０００９】  本考案によれば、弾性線材は互いに斜交するように枠体に取り付けられて、それぞれ２か所以上で交差しているので、固縛により剛性が高まり、強度が増す。地面に設置される枠体の上に防虫ネット、温室ビニール、犬猫などの侵入防止ネットあるいは寒冷紗が構成されるため、枠体ごとの設置や撤去が可能で、苗育成の作業性を高めることが出来る。【００１０】  さらに、弾性線材の端部を枠体の取付穴に斜交して取付、交差部を固縛するだけの構造が簡単で組み立て作業も容易であるので、部品キットとして購入しても初心者でも格別の工具を使用することなく組み立てて使用することが出来る。
【図面の簡単な説明】
【００１１】
【図１】本考案の一実施例を示す斜視図である。
【図２】図１のＡ部の拡大斜視図である。
【考案を実施するための形態】
【００１２】  以下、本発明の実施形態を図に基づいて説明する。１は矩形状の枠体で、塩化ビニール管で構成されている。１１は、同枠体１を構成するＴ型ソケット。１２，１３は横、縦の直管である。２は、２本の合成樹脂製の弾性線材を捩じって形成された梁本体、３は、前記梁本体２の端部を挿入固定するため前記枠体１の上部に所定の間隔を存して穿たれた取付穴、４は、交差部の梁本体２を係止する係止材で、弾性線材をコイル状にしたあとこれを折り曲げて形成されている。なお、前記弾性線材としては、例えば東レ製のモノフイラメントの直径３．５〜直径２．６を使用する。また、コイル状の弾性線材としては、同じく東レ製のモノフイラメントの直径３〜直径２を使用する。
【００１３】  このような装置を組み立てる際には、まず、Ｔ型ソケット１１に直管１２，１３を挿入して枠体１を作成する。その際に横直管１２およびＴ型ソケットに穿たれた取付穴３が正しく上向きになるように留意する。つぎに予め２つ折りにしたコイル状の係止材４に梁本体２を挿通しておき、この梁本体２の端部を取付穴３に挿入固定する。なお、その際に梁本体２は互いに斜めに取り付けられそれらの交差部が２か所以上となるように、取付穴３の開口位置が工夫調整されている。
【００１４】  コイル状の弾性線材を２つ折りにした係止材３は、梁本体２の交差角度が変更しても速やかに対応できるし、また、交差位置をずらすことも所定の位置で係止することも容易である。これは、梁本体２が一本の弾性線材ではなく複数の弾性線材の捩じり材であることにも起因している。もちろん、１本の弾性線材を使用し、交差部を針金で固縛するようにしてもよい。
【００１５】  また、簡易ハウスの長さを増設したいときには、図１の点線で示すようにＴ型ソケット１１に横直管１２および縦直管１３を差し込んで枠体１を広げ、前記したと同様に梁本体２を組み付ける
【００１６】  このように組み立てられた簡易ハウスを対象の土地の上に設置し、目的に応じて防虫ネット、温室ビニール、犬猫などの侵入防止ネットあるいは寒冷紗を梁本体３を覆うようにかける。その下端は土に埋めてもよいが、ネット等の場合には、枠体１に洗濯バサミなどで止めるようにすると簡単で便利である。
【産業上の利用可能性】
【００１７】  簡易ハウスキットとして、部品を消費者に届け、消費者が組み立てて使用する。保温ハウス、防虫ハウス、寒冷ハウス、小動物対策ハウス、防風ハウスなど使い方様々に利用できる。
【符号の説明】
【００１８】  １    枠体
１１  Ｔ型ソケット
１２  横直管
１３  縦直管
２    梁本体
３    取付穴
４    係止材
【図１】
0003180884.tif 000003
【図２】
0003180884.tif 000004
(57)【要約】      （修正有）【課題】リュックサックの固定具をリュック側面の手が届くところに設け、リュックを降ろす場所がなくても立った状態でストックを簡単に装着できるストックホルダーを提供する。【解決手段】リュックサック７側面へ上部から下部へゴム紐４を付け上部で一回巻き付け固定下部に曳き、リュック下部に取り付けた袋５へ釣り具６で止める。トレッキングストック１、２を下部袋に刺し入れ、ストック上部にゴム紐４を一回転撒きつけゴム紐を曳きながら下部袋等へ止める。【選択図】図１
0003180841.tif 000002
【実用新案登録請求の範囲】
【請求項１】
固定用ゴム紐の使い方と取り付け位置
【考案の詳細な説明】
【考案の概要】
【考案が解決しようとする課題】
【０００１】
従来の固定具はリュックサックの外の面にあり、リュックサックを肩から降ろさなければ、固定具へストック収納，取り外しができない
リュックサックを肩から降ろす事無くトレッキングストックをリュックサックへ固定収納したい。
【課題を解決するための手段】
【０００２】
リュックサック側面へ上部から下部へゴム紐を付け上部で一回巻き付け固定下部に曳きリュック下部に取り付けた袋へ釣り具で止める、図１  手が届くので取り外し自由、
トレッキングストックを下部袋に刺し入れ、ストック上部にゴム紐を一回転撒きつけゴム紐を曳きながら下部袋等へ止める、一回転撒きつける事で固定出来る、収納器具です。
【考案の効果】
【０００３】
登山の時危険な個所でストックをリュックサックへ収納する手間をはぶき手に持ち歩き手の自由が利かない人を見る、リュックサックを肩から降ろす事無く、少し立ち止まる事で
固定出来るので、その後の歩行が楽である。  
【図面の簡単な説明】
【０００４】
【図１】リュックサックへ取り付けた時の全体図で上部は肩ベルト根元へゴム紐を付けたマギックテープ等で固定  下部の袋はドリンクホルダーなどで，代用可能
【符号の説明】
【０００５】
１  トレッキングストック
２  トレッキングストック
３  マジックテープ
４  ゴム紐
５  袋
６  釣り具
７  リュック本体
【図１】
0003180841.tif 000003
【手続補正書】
【提出日】平成24年10月22日(2012.10.22)
【手続補正１】
【補正対象書類名】実用新案登録請求の範囲
【補正対象項目名】全文
【補正方法】変更
【補正の内容】
【実用新案登録請求の範囲】
【請求項１】
リュック肩ベルト根元に取り付ける固定具と前記固定具に付く丸ゴム紐と前記丸ゴム紐に付く釣り具と釣り具に吊り下げられた抜け落ち防止の袋からなるストックホルダー
(57)【要約】【課題】本考案は名刺ファイルの台紙部分にメモ欄を設け、且つ紙製でありゴムバンドで綴じることにより開閉と頁の入れ替えを容易にし、情報の整理に役立つ。【解決手段】本考案は紙製の名刺ファイルの台紙部分にメモ欄３を設けペン等で台紙に書き込みができることにより、名刺差込み用スリット２に差込み固定させた名刺１の情報とメモ欄３の記録を同時に保管することができ、且つ、ゴムバンド４をゴムバンド用スリット５に引っかけて綴じているため、開閉と頁の入れ替えが容易であり、情報の整理に役立つ。【選択図】図１
0003180843.tif 000002
【実用新案登録請求の範囲】
【請求項１】
名刺ファイルの中面台紙にメモ欄を設け、名刺の情報とともに日付や相手の特徴等の記録を保管できるとともに、素材を紙製にしゴムバンドで綴じることによって頁の開閉と入れ替えを容易にしたところを特徴とするメモ欄付き紙製名刺ファイル。
【考案の詳細な説明】
【技術分野】
【０００１】  本考案は、メモ書きスペースを設け、素材が紙製で、ゴムバンドで綴じた名刺等のカードファイルに関するものである。
【背景技術】
【０００２】  名刺を交換した後、日付や相手の特徴などのメモを、名刺の余白に直接記入しており、一度ファイルに保管すると頁の入れ替えが難しかった。
【考案の概要】
【考案が解決しようとする課題】
【０００３】  日付や相手の特徴などのメモを、直接名刺の余白に記入することに抵抗を感じている人は多く、またリフィル形式でない名刺ファイルの場合、頁の順番を入れ替えることは手間である。従って、名刺ファイルを紙製にし、台紙に直接メモが書けるスペースを設けた。また、ファイルの綴じをゴムバンドにすることで、ゴムバンドを外せば頁の入れ替えが容易となり、前述の欠点を解決しようとするものである。
【課題を解決するための手段】
【０００４】  本考案は、名刺を保管する紙製の台紙に、名刺を差込むスリットを設けて名刺を台紙に固定している。名刺の横にメモ書きできるスペースを設け、ペン等で直接台紙に記入することができる。裏表紙にはゴムバンドが接着されており、ゴムバンドと裏表紙と台紙および表紙の接触部分はやや傾斜したスリットが入っていることにより、ファイルの開閉が容易であり、フラットに近い状態まで開くことができる。台紙を入れ替えたい場合は、ゴムバンドを表紙と台紙から外せば自在であり、問題点を解決している。
【考案の効果】
【０００５】  上述の様に、本考案のメモ欄付き紙製名刺ファイルは、台紙に直接メモを記入できることにより、名刺の余白に直接記入することへの抵抗なく記録を残すことができ、時間を経た後でも記録を読み返すことができるため、記憶の整理に役立つものである。且つ、開閉と頁の入れ替えが容易な名刺ファイルは、使用時の手間を軽減し、情報の整理に役立つものである。
【図面の簡単な説明】
【０００６】
【図１】本考案のメモ欄付き紙製名刺ファイルの実施例を示す展開図である。
【図２】本ファイルの正面図および単体正面図である。
【考案を実施するための形態】
【０００７】  名刺ファイルを開き、名刺台紙に入っているスリットに名刺を差込んで固定させる。１つの名刺に対して対角線上にあるスリット２箇所を使用する。名刺の横のメモ欄に日付や相手の特徴などをペン等で記録することにより、名刺の情報と記録を同時に保管できる。また、保管した後に頁を入れ替えたい場合は、ゴムバンドを外して台紙ごと入れ替えて使用する。
【実施例】
【０００８】  以下、添付図面に従って一実施例を説明する。１はファイルされる名刺、２は名刺差込み用スリット、３はメモ欄、４はファイルを綴じるゴムバンド、５はゴムバンドとの接触部であるゴムバンド用スリットである。【０００９】  図２の（ａ）は、本考案の平面図、（ｂ）は表紙単体図の平面図、（ｃ）は裏表紙単体の平面図、（ｄ）は中面台紙単体の平面図である。【００１０】  １の名刺を中面台紙２のスリットの対角線上２箇所に差込む。３のメモ欄に記録したい情報をペン等で記入する。中面台紙を入れ替える際は、４のゴムバンドを表紙と中面台紙の５のスリットから外して入れ替えて使用する。
【符号の説明】
【００１１】    １  名刺
２  名刺差込み用スリット
３  メモ欄
４  ゴムバンド
５  ゴムバンド用スリット
【図１】
0003180843.tif 000003
【図２】
0003180843.tif 000004
【手続補正書】
【提出日】平成24年10月18日(2012.10.18)
【手続補正１】
【補正対象書類名】実用新案登録請求の範囲
【補正対象項目名】請求項１
【補正方法】変更
【補正の内容】
【請求項１】
名刺ファイルの中面台紙にメモ欄を設け、名刺の情報とともに日付や相手の特徴等の記録を保管できるとともに、素材を紙製にし、裏表紙に２箇所より接着され輪型となったゴムバンドを用いて裏表紙と台紙および表紙に入っているスリットに引っ掛けて綴じることを特徴とするメモ欄付き紙製名刺ファイル。
(57)【要約】      （修正有）【課題】寝たきりの病人等、介護を必要とする人の着替えを容易にするために、体を左又は右側臥位に動かすだけで、楽に上衣を着替えさせることが出来、介護者の負担を軽減する介護用パジャマ類、介護用下着を提供する。【解決手段】パジャマ等の寝間着類及び下着類において、見頃部分の一側（左又は右）の肩線（又は肩部分）、前見頃袖ぐり（又はその周辺）、脇線（又は脇部分）、襟のあるデザインは肩線の延長線の襟部分、を切り離し、同側、袖部分は袖底部分、（又は袖山より袖先まで引いた任意のライン）、を切り離し、切り離した部分はオープンファスナー又は面ファスナーで接合可能な状態にする。これにより左又は右側は身体前面、背面部分の生地に分離され一側完全開閉自在となり介護者の負担を軽減する事が出来る。【選択図】図１
0003180847.tif 000002
【実用新案登録請求の範囲】
【請求項１】
パジャマ等の寝間着類及び下着類において、見頃部分の一側（左又は右）の肩線（又は肩部分）、前見頃袖ぐり（又はその周辺）、脇線（又は脇部分）、襟のあるデザインは肩線の延長線の襟部分、を切り離し、同側、袖部分は袖底部分、（又は袖山より袖先まで引いた任意のライン）、を切り離し、切り離した部分はファスナー又はマジックテープ等で接合可能な状態にする。これにより左又は右側は身体前面、背面部分の生地に分離され一側完全開閉自在となることを特徴とする介護用寝間着類及び下着類。
【考案の詳細な説明】
【技術分野】
【０００１】  本考案はパジャマ及び下着にデザイン的工夫、機能性を取り入れたものである。
【背景技術】
【０００２】  パジャマ及び下着は日常的に使用されている衣類である。又そのデザインは数えきれない。
【考案が解決しようとする課題】
【０００３】  本考案は、寝たきりの病人等、介護を必要とする人に、寝たきり状態の体を左又は右側臥位に動かすだけで、楽に着替えさせることが出来、介護者の負担を軽減する介護用パジャマ、介護用下着を提供する。
【課題を解決するための手段】
【０００４】パジャマ等の寝間着類及び下着類において、見頃部分の一側（左又は右）の肩線（又は肩部分）、前見頃袖ぐり（又はその周辺）、脇線（又は脇部分）、襟のあるデザインは肩線の延長線の襟部分、を切り離し、同側、袖部分は袖底部分、（又は袖山より袖先まで引いた任意のライン）、を切り離し、切り離した部分はファスナー又はマジックテープ等で接合可能な状態にする。
【産業上の利用可能性】
【０００５】病院、在宅医療の現場での使用
在宅、寝たきり状態の高齢者に対する衣類
【図面の簡単な説明】
【０００６】
【図１】仕上がり図
【図２】前見頃
【図３】後見頃
【図１】
0003180847.tif 000003
【図２】
0003180847.tif 000004
【図３】
0003180847.tif 000005
【手続補正書】
【提出日】平成24年8月6日(2012.8.6)
【手続補正１】
【補正対象書類名】実用新案登録請求の範囲
【補正対象項目名】請求項１
【補正方法】変更
【補正の内容】
【請求項１】
パジャマ等の寝間着類及び下着類において、見頃部分の一側（左又は右側）を縫い合わせず、又は前見頃を左右に分断するライン等で切り離し、同側、袖部分は、後見頃袖ぐりと袖山の後見頃部分を縫い合わせ、袖山より袖先まで引いたライン、又は袖底、で切り離す。
縫い合わせ部分、及び切り離した部分は、それぞれファスナー又はマジックテープ等で接合可能な状態にし、これにより、左又は右側は、身体前面、背面部分の生地に分離され、一側完全開閉自在となることを特徴とする、介護者向け寝間着類及び下着類。
【手続補正２】
【補正対象書類名】明細書
【補正対象項目名】０００４
【補正方法】変更
【補正の内容】
【０００４】パジャマ等の寝間着類及び下着類において、見頃部分の一側（左又は右側）を縫い合わせず、又は前見頃を左右に分断するライン等で切り離し、同側、袖部分は、後見頃袖ぐりと袖山の後見頃部分を縫い合わせ、袖山より袖先まで引いたライン、又は袖底で切り離す。
縫い合わせ部分、及び切り離した部分は、それぞれファスナー又はマジックテープ等で接合可能な状態にし、これにより、左又は右側は、身体前面、背面部分の生地に分離され、一側完全開閉自在とする事により介護者の負担を軽減する。
【手続補正書】
【提出日】平成24年10月12日(2012.10.12)
【手続補正１】
【補正対象書類名】実用新案登録請求の範囲
【補正対象項目名】全文
【補正方法】変更
【補正の内容】
【実用新案登録請求の範囲】
【請求項１】
前見頃と後見頃の左又は右の脇線を縫い合わせずに解放、肩は同じく前見頃と後見頃を縫い合わせずに開放し、襟部分は肩線の延長線で切断、袖は後見頃袖ぐりと対応する袖山部分を縫合、前見頃袖ぐりは袖と縫合せず開放し、それぞれ開放された部分及び切り離した部分は面ファスナー、オープンファスナー、のいずれかにて接合可能とし、これにより片側横開き完全開閉自在を特徴とする介護用衣服
【手続補正３】
【補正対象書類名】明細書
【補正対象項目名】０００４
【補正方法】変更
【補正の内容】
【０００４】寝間着類及び下着類において、
（１）前見頃と後見頃の左又は右の脇線を縫い合わせずに解放する。
（２）肩線は前見頃と後見頃を縫い合わせずに開放する。
（３）襟部分は肩線の延長線で切断する。
（４）袖は前見頃袖ぐりは袖と縫合せず開放し、後見頃袖ぐりと対応する袖山部分を縫合し袖部分を見頃部分に保持する。
（５）縫い合わせない部分及び切り離した部分は面ファスナー、オープンファスナー、のいずれかにて接合可能とする。
以上により横開き片側完全開閉自在を実現する。
【手続補正４】
【補正対象書類名】明細書
【補正対象項目名】０００６
【補正方法】変更
【補正の内容】
【０００６】
【図１】仕上がり図
【図２】型紙
【手続補正５】
【補正対象書類名】図面
【補正対象項目名】全図
【補正方法】変更
【補正の内容】
【図１】
0003180847.tif 000006
【図２】
0003180847.tif 000007
(57)【要約】      （修正有）【課題】熱帯植物の栽培のとき、遮光と保温を兼ね蓋を付けた、自然分解性材質の黒色な用土容器を提供する。【解決手段】底部分より開口部分がやや大きく設えた抜き勾配のある方形箱型で、蓋材の一辺が箱本体上辺の一辺と連結し、折り曲げて箱の蓋と身になる構造をなし、保温性があり通水性・吸光性に富み自然分解土壌化する黒色厚手粗紙からなる。【選択図】図２
0003180849.tif 000002
【実用新案登録請求の範囲】
【請求項１】
ゴーヤ等  熱帯植物の種・苗を栽培する際に  陽射しの加減と保温の為と  定植後の栽培障害にならないよう  自然分解し  土壌化する材質で作られた、蓋付き黒色容器。
【考案の詳細な説明】
【技術分野】
【０００１】  本考案は、熱帯植物の栽培のとき  遮光と保温を兼ね  蓋を付けた  自然分解性材質の黒色な  用土容器である。
【背景技術】
【０００２】  種は事前に浸水せねばならず  発芽当初は陽光による乾燥を避けねばならない。仮に土地の広範囲を防水フィルムで覆うのは  叉別の障害を生み  面倒であった。【０００３】  従来からあるジフィーポット等は  自然分解はしても  遮光や保温の機能は不問でそれらは  叉  別の仕組みを施さねばならず  それこそが面倒であった。
【考案の開示】
【考案が解決しようとする課題】
【０００４】  種蒔きに際し  乾燥を防ぐ為  一時的に種を覆い隠す。本葉が出たら陽光で温める。
定植に際し  容器を除去せずとも  自然分解し  周囲の土壌に馴染み根の成長を妨げない。
【課題を解決するための手段】
【０００５】  容器の蓋は  発芽時は閉じて種苗の乾燥を防ぎ、本葉が出たら蓋を開け裏面で照陽収熱した熱を速やかに用土へ伝えるよう  蓋と本体は連結した構造とする。【０００６】  種蒔き・発芽時期  容器を寄集め一括保温の為  方形（コンパクト）とする。【０００７】  容器には僅かな抜勾配を与え、蓋も一体で成形し  蓋から本体への熱伝播を妨げない。【０００８】  容器の材質は  自然分解性のみで無く  通水性・吸光性に富んだ  黒色厚手粗紙とする。
【考案の効果】
【０００９】栽培用種苗仮容器である本容器は  用土の仕込  種蒔き  発芽  定植の際に  有益である。
【考案を実施するための最良の形態】
【００１０】  図１のように  抜勾配のある  蓋付箱型容器である。
【実施例１】
【００１１】  図２のように  配合用土を充填し  個別包装する場合も有りうる。
【実施例２】
【００１２】  図３のように  空を幾つも重ね  生産時  梱包・保管の便宜も考えられる。
【産業上の利用可能性】
【００１３】  熱帯植物に限らず  本来の季節をずらして  寒い頃から発芽させたい場合、この容器は有効である。
【図面の簡単な説明】
【００１４】
【図１】容器を閉じ  中に用土を充填した状態を示す。
【図２】発芽して  本葉が育ち始めた頃  蓋を開き裏面を陽光に晒した状態を示す。
【図３】容器を生産・格納・輸送する時  容器を多数積み重ねる事をしめす。
【図１】
0003180849.tif 000003
【図２】
0003180849.tif 000004
【図３】
0003180849.tif 000005
【手続補正書】
【提出日】平成24年10月17日(2012.10.17)
【手続補正１】
【補正対象書類名】実用新案登録請求の範囲
【補正対象項目名】全文
【補正方法】変更
【補正の内容】
【実用新案登録請求の範囲】
【請求項１】
底部分より開口部分がやや大きく設えた抜き勾配のある方形箱型で、蓋材の一辺が箱本体上辺の一辺と連結し、折り曲げて  箱の蓋と身になる構造をなし、保温性があり通水性・吸光性に富み  自然分解土壌化する黒色厚手粗紙からなる  熱帯植物栽培用蓋付自然分解性黒色容器。
(57)【要約】【課題】  橋梁高欄の補修足場において、必要な場所に足場を容易に設けることができ、しかも、簡単に移設できる補修用足場を提供する。【解決手段】  補修用足場本体１は、橋梁側端に係止して固定し設置することができる作業用ゴンドラ足場状であって、鉄骨フレーム等を結合して略コの字形に形成され、所定間隔離して複数並設した、吊上げ用のアイボルト２を備えた横掛け部材３と、該横掛け部材３の一端に垂設した吊り縦部材４と、該吊り縦部材４下部に、該横掛け部材３と平行に設けた吊り横部材５とを有し、該吊り縦部材４それぞれの上部間及び下部間に横枠材６を組み付けて連結し、該吊り横部材５上に床部材７を組み付けて床面を設け、要所を補強部材やブレース８で補強するとともに、該吊り縦部材４それぞれに上下分割可能に接続ジョイント９を備えて成したことを特徴とした。【選択図】図６
0003180873.tif 000002
【実用新案登録請求の範囲】
【請求項１】
補修用足場本体は、橋梁側端に係止して固定し設置することができる作業用ゴンドラ足場状であって、鉄骨フレーム等を結合して略コの字形に形成され、所定間隔離して複数並設した、吊上げ用のアイボルトを備えた横掛け部材と、該横掛け部材の一端に垂設した吊り縦部材と、該吊り縦部材下部に、該横掛け部材と平行に設けた吊り横部材とを有し、該吊り縦部材それぞれの上部間及び下部間に横枠材を組み付けて連結し、該吊り横部材上に床部材を組み付けて床面を設け、要所を補強部材やブレースで補強するとともに、該吊り縦部材それぞれに上下分割可能に接続ジョイントを備えて成したことを特徴とする補修用足場。
【考案の詳細な説明】
【技術分野】
【０００１】  本考案は、橋梁高欄の補修用足場に関する。
【背景技術】
【０００２】  従来より、橋梁高欄の補修は、橋種や形式を問わず、橋梁本体を利用する吊り足場工法、橋梁下地盤からの組み足場工法が一般的である。【０００３】  前者の吊り足場工法は、地覆付近の橋梁本体にアンカーを設置し、主桁間には梁を渡し、これに吊りチェーンにて作業足場を吊り下げる構造であり、後者の組み足場工法は、橋下地盤面から丸太及びパイプで枠組構造を形成し、本足場として組み上げる構造である。【０００４】  吊り足場工法は、全体が上空占有であるため、河川の増水や交通の影響を受けない利点を有するが、アンカーやチェーンを主桁や床版に取り付けるため橋体を損傷したり、組み立て時に時間がかかり、また、解体時に危険を伴ったりする欠点を有し、組み足場工法は、橋体にアンカーやチェーンを取り付けることがないから橋体を損傷することはないが、河川や跨線上では組み立てが不可能であり、組み立てることのできる河川でも増水時には流木などの衝突による危険があり、また高架道路では一般道路の交通の支障をきたす欠点がある。
【考案の概要】
【考案が解決しようとする課題】
【０００５】  上述のような吊り足場工法に見られるような橋体を損傷したり、組み足場工法に見られるような河川における流木の衝突などの危険や交通の支障などの欠点を解決するとともに、作業の効率化と安全を確保しようとするものである。【０００６】本考案は、橋梁高欄の補修足場において、必要な場所に足場を容易に設けることができ、しかも、簡単に移設できる補修用足場を提供しようとするものである。
【課題を解決するための手段】
【０００７】  補修用足場本体１は、橋梁側端に係止して固定し設置することができる作業用ゴンドラ足場状であって、鉄骨フレーム等を結合して略コの字形に形成され、所定間隔離して複数並設した、吊上げ用のアイボルト２を備えた横掛け部材３と、該横掛け部材３の一端に垂設した吊り縦部材４と、該吊り縦部材４下部に、該横掛け部材３と平行に設けた吊り横部材５とを有し、該吊り縦部材４それぞれの上部間及び下部間に横枠材６を組み付けて連結し、該吊り横部材５上に床部材７を組み付けて床面を設け、要所を補強部材やブレース８で補強するとともに、該吊り縦部材４それぞれに上下分割可能に接続ジョイント９を備えて成したことを特徴とした。
【考案の効果】
【０００８】  本考案によれば、補修用足場本体１の横掛け部材３を橋梁側端の地覆に係止して固定するだけで容易に補修用足場を設置することができる。【０００９】  また、横掛け部材３に備えたアイボルト２にワイヤーをかけ、レッカー等で補修用足場本体１を吊ったままに作業することで、移設も短時間かつ簡単におこなうことが可能である。【００１０】  したがって、本考案によれば、大量の足場資材や足場を組むための空中作業を必要としないことから、効率的かつ安全な補修用足場を提供することができる。
【図面の簡単な説明】
【００１１】
【図１】  本考案に於ける補修用足場の正面図である。
【図２】  本考案に於ける補修用足場の背面図である。
【図３】  本考案に於ける補修用足場の側面図である。
【図４】  本考案に於ける補修用足場の上面図である。
【図５】  本考案に於ける補修用足場の底面図である。
【図６】  本考案に於ける補修用足場の斜視図である。
【考案を実施するための形態】
【００１２】  以下、本考案の実施の形態について、図面を参照して説明する。
図６に示すように、補修用足場本体１は、橋梁側端に係止して固定し設置することができる作業用ゴンドラ足場状であって、鉄骨フレーム等を結合して略コの字形に形成され、所定間隔離して複数並設した、吊上げ用のアイボルト２を備えた横掛け部材３と、該横掛け部材３の一端に垂設した吊り縦部材４と、該吊り縦部材４下部に、該横掛け部材３と平行に設けた吊り横部材５とを有し、該吊り縦部材４それぞれの上部間及び下部間に横枠材６を組み付けて連結し、該吊り横部材５上に床部材７を組み付けて床面を設け、要所を補強部材やブレース８で補強するとともに、該吊り縦部材４それぞれに上下分割可能に接続ジョイント９を備えて成したことを特徴とした。
【符号の説明】
【００１３】    １    補修用足場本体
２    アイボルト
３    横掛け部材
４    吊り縦部材
５    吊り横部材
６    横枠材
７    床部材
８    ブレース
９    接続ジョイント
【図１】
0003180873.tif 000003
【図２】
0003180873.tif 000004
【図３】
0003180873.tif 000005
【図４】
0003180873.tif 000006
【図５】
0003180873.tif 000007
【図６】
0003180873.tif 000008
(57)【要約】【課題】充分な湿気を供給してその湿気を逃がさないように顔面を被覆することができるフェイスマスクを提供することである。【解決手段】垂れカバー１１の両側にバックバンド１２、１２を設け、バックバンド１２、１２の外端に面ファスナの雄部材１３ａと雌部材１３ｂをそれぞれ設け、前記カバー１１の中央部上端に屈曲性、保形性を有するノーズワイヤ１４を取り付け、その下方に加湿シートを挿入するポケット１５を設けたのである。【選択図】図１
0003180896.tif 000002
【実用新案登録請求の範囲】
【請求項１】
逆山形形状の垂れカバーの両側にそれぞれバックバンドを設け、バックバンドを外端を互に連結できる係止手段を設け、前記垂れカバーの内面中央部に加湿用シートを挿入するポケットを設けたフェイスマスク。
【請求項２】
前記垂れカバーの上端中央部に屈曲性、保形性を有する細長いノーズワイヤを横方向に設けた請求項１に記載のフェイスマスク。
【請求項３】
前記係止手段はバックバンドの長さを調整可能になっている請求項１または２に記載のフェイスマスク。
【考案の詳細な説明】
【技術分野】
【０００１】
この考案は、顔面の鼻から首回りまで被覆できるフェイスマスク、特に湿気を補給して喉などに潤いを与えることのできるフェイスマスクに関する。
【背景技術】
【０００２】
外気の乾燥状態が続くと皮膚や咽喉が乾燥するばかりでなく、風邪をひき易くなることも知られている。そのため加湿器やハンドクリームが広く用いられている。また、ガーゼや不織布から成る通常の耳掛けマスクも日常的に用いられている。
【０００３】
云うまでもなく加湿器は携帯できるものではなく、旅行中などに乗物内で使用することはできない。また、耳掛けマスクは常時使用することができるものの、加湿機能を持ったものは見当たらない。例えば特許文献１には、マスクの内面に香気成分を含んだシートを貼り付けることが開示されているが、このシートを加湿用に換えたとしても、小形のマスクでは、長時間湿気を逃さず保湿することが難しい。また、特許文献２には、フェイスマスクと通常のマスクを重ねて用いることが開示されているが、これも加湿機能を持っていない。さらに、特許文献３には、フェイスマスクとほぼ同様の形状を有するマスクの内面にポケットを設け、このポケット内に吸気と呼気をほぼ同じ温度に保持するシート材を挿入することが開示されている。しかしながら、このシート材は加湿用ではなく、また長時間湿度を保持するための工夫もなされていない。さらに、マスクが衝撃によって鼻から外れるおそれがあり、これを防止するためゴム紐などを挿入すると神経の集まる顔面を締め付け、苦痛を与える問題がある。
【先行技術文献】
【特許文献】
【０００４】
【特許文献１】実開平２−３９７４９号公報
【特許文献２】実用新案登録第３１３６１４２号公報
【特許文献３】特開２００４−３４４４９２号公報
【考案の概要】
【考案が解決しようとする課題】
【０００５】
そこで、この考案の課題は、フェイスマスク内に充分な湿気を供給してその湿気を逃がさないように広い範囲で顔面を被覆することである。
【課題を解決するための手段】
【０００６】
上記の課題を解決するために、この考案においては、逆山形形状の垂れカバーの両側にバックバンドを設け、それぞれのバックバンドの外端を互に連結できる係止手段を設け、前記垂れカバーの内面中央部に加湿シートを挿入するポケットを設けた構成を採用したのである。前記垂れカバーの上端中央部に屈曲性、保形性を有する細長いノーズワイヤを横方向に取り付けておくのが好ましい。また、前記係止手段は、バックバンドの長さを調整できるものが好ましい。
【考案の効果】
【０００７】
この考案によれば、鼻から首回りを被う垂れカバーによって大きな加湿空間を形成したので、長時間にわたって咽喉を潤すことができる。また、垂れカバーの上端中央部にノーズワイヤを取り付けて鼻の周囲に沿って垂れカバーの中央部を密着固定できるようにしたので、垂れカバーが鼻からずり落ちることがなく、締め付け感を与えることもなく、鼻周辺に密着させることができるため湿気が逃げることがない。
【図面の簡単な説明】
【０００８】
【図１】フェイスマスクの裏面図、
【図２】フェイスマスクのバックバンドを連結した状態を示す側面斜視図、
【図３】フェイスマスクのバックバンドを連結した状態を示す正面図、
【図４】フェイスマスクの使用状態の一例を示す側面図である。
【考案を実施するための形態】
【０００９】
以下、この考案の実施形態を添付図面に基づいて説明する。図１に示すように、フェイスマスク１０は、滑らかな逆山形状の垂れカバー１１と、その両側に設けたバックバンド１２、１２より成り、一方のバックバンド１２の内面には面ファスナの雄部材１３ａが固着され、他方のバックバンド１２の外面には面ファスナの比較的長い雌部材１３ｂが固着されている。また、垂れカバー１１の中央部上端には、形状記憶合金のような屈曲性、保形性のある細長いノーズワイヤ１４がカバー１１の上端縁にほぼ並行に封入されている。ノーズワイヤ１４の長さは鼻梁を横断する方向に鼻の両側つけ根にまたがる程度が好ましい。このノーズワイヤ１４の下方にポケット１５が設けられている。このポケット１５には、水分を含浸させた加湿用シートが収納される。
【００１０】
前記カバー１１の材料は、織布、不織布、編成布などからなり、適度に湿度を保持できるように通気性をコントロールできるものを選択すべきである。また、係止手段として面ファスナを用いたが、スナップボタンやフック・アイなど係止位置を選択可能なものであればいずれでもよい。
【００１１】
図２、図３はバックバンド１２、１２の外端を連結してカバー１１を筒状にした状態を示す。図示のように、ノーズワイヤ１４及びポケット１５を内面にしてバックバンド１２、１２の端部に設けた面ファスナの雄部材１３ａと雌部材１３ｂを係合する。図４は実際にフェイスマスク１０を装着した状態で就寝した様子を示している。図示のように、人体Ｈの鼻Ｎの鼻孔をカバー１１で塞ぐようにして、バックバンド１２、１２を顔の後方に回し、図２で示したように面ファスナを用いて係止する。そしてノーズワイヤ１４を鼻梁の横断方向に沿うように折り曲げ鼻Ｎに密着させる。これによって湿気が鼻Ｎの周辺から散逸するのを防止することができる。図から判るように、カバー１１が鼻孔から首回りにいたって胸の上部までを被う広い加湿空間を形成し、長時間にわたって咽喉などを潤すことができる。なお、フェイスマスク１０の装着前に予め加湿シートを適宜枚数ポケット１５に挿入しておくことはいうまでもない。また、図中、符号Ｆは布団、Ｐは枕である。
【００１２】
この考案のフェイスマスク１０は、嵩張らず、旅行や出張中、乗物内、ホテル内でも使用することができる。
【符号の説明】
【００１３】
１０  フェイスマスク
１１  垂れカバー
１２  バックバンド
１３ａ、１３ｂ  面ファスナの雄雌部材
１４  ノーズワイヤ
１５  ポケット
Ｆ  布団
Ｈ  人体
Ｎ  鼻
Ｐ  枕
【図１】
0003180896.tif 000003
【図２】
0003180896.tif 000004
【図３】
0003180896.tif 000005
【図４】
0003180896.tif 000006
(57)【要約】      （修正有）【課題】自転車の前照灯を自転車の前かご前方部に取付けることができる自転車用ライト固定クランプ部品を提供する。【解決手段】２つのパーツからなる細径部取付用のアタッチメント６Ａ、６Ｂを固定クランプ部品５の挿通孔に、自転車かごの縁部を挟持するように挿入して、さらにこのアタッチメント６Ａ、６Ｂを固定クランプ部品５でクランプすることにより、ハンドルの外径よりもはるかに細い自転車かごの縁部のような箇所にもクランプ部品５を固定することができる。このため、自転車かごの前部に取り付けられたクランプ部品５を介してＬＥＤライト４を固定することができるので、ライトをハンドルに取り付けた際に起きるかごによるライト光の遮断を防止することができる。【選択図】図２
0003180749.tif 000002
【実用新案登録請求の範囲】
【請求項１】
前照灯を自転車のハンドルバーへ取り付けるために、ハンドルバーが挿通される挿通孔と、該挿通孔の径の大きさを調節する調節ネジとを備えた自転車用ライト固定クランプ部品において、２分割された細径部取付用アタッチメントを前記挿通孔に挿入し、該細径部取付用アタッチメントで細径部を挟持可能としたことを特徴とする自転車用ライト固定クランプ部品。
【考案の詳細な説明】
【技術分野】
【０００１】
本考案は、自転車のハンドルに取り付けるタイプのライト（ＬＥＤライト等）の固定具において、常にライトの効率的な照射を確保するようにしたライト取付具に関する。
【背景技術】
【０００２】
従来の自転車用後付ライトは、主にハンドル部に取り付けられるようなものが主流である。
例えば、特許文献１はライト等を自転車のハンドルに取り付けるための器具に関するものであり、特許文献２は自転車のハンドルに取り付ける固定式ライトに関するものである。
【先行技術文献】
【特許文献】
【０００３】
【特許文献１】特開２０１１−４２２８５
【特許文献２】特開２００１−２３３２６４
【考案の概要】
【考案が解決しようとする課題】
【０００４】
本考案の課題としては、従来の前かご付自転車において、ハンドルへ固定式のライトを取り付けた場合、夜間走行時にライトを点灯すると、自転車のかごが障害物となって前方へのライトの照射が大幅に遮断されるため、前方の安全を十分に確保できないという問題があった。
【課題を解決するための手段】
【０００５】
上記課題を解決するために、本考案の自転車用ライト固定クランプ部品は、前照灯を自転車のハンドルバーへ取り付けるために、ハンドルバーが挿通される挿通孔と、該挿通孔の径の大きさを調節する調節ネジとを備えた自転車用ライト固定クランプ部品において、２分割された細径部取付用アタッチメントを前記挿通孔に挿入し、該細径部取付用アタッチメントで細径部を挟持可能としたことを特徴とする。
【考案の効果】
【０００６】
上記手段によれば、前かご付自転車のかご前方部にアタッチメントを介して、自転車用ライト固定クランプ部品を取り付けることができるので、ライトをハンドルに取り付けた際に起きるかごによるライト光の遮断を防止することができ、夜間走行の安全性を高める効果が得られる。
【図面の簡単な説明】
【０００７】
【図１】本考案の自転車用ライト固定クランプ部品を使用して、ライトを自転車かごの前方に取り付けた状態を示す図である。
【図２】本考案の自転車用ライト固定クランプ部品に使用される細径部取付用のアタッチメント部を示す図である。
【考案を実施するための形態】
【０００８】
以下、本考案の実施形態を図面に基づいて説明する。
図１は、本考案の自転車用ライト固定クランプ部品を使用して、ライトを自転車かごの前方に取り付けた状態を示す図であり、図２は、本考案の自転車用ライト固定クランプ部品に使用される細径部取付用のアタッチメント部を示す図である。
図１において、自転車１のハンドル２の前方に取り付けられた自転車かご３の前部に、ＬＥＤライト４がライト固定クランプ部品５により取り付けられている。このライト固定クランプ部品５は単体ではハンドル２にしか取り付けできない構造であるが、図２に示すように、２つのパーツからなる細径部取付用のアタッチメント６Ａ、６Ｂを固定クランプ部品５の挿通孔に、自転車かご３の縁部を挟持するように挿入して、さらにこのアタッチメント６Ａ、６Ｂを固定クランプ部品５でクランプすることにより、ハンドル２の外径よりもはるかに細い自転車かご３の縁部のような箇所にもクランプ部品５を固定することができる。
このため、自転車かご３の前部に取り付けられたクランプ部品５を介してＬＥＤライト４を固定することができるので、ライトをハンドルに取り付けた際に起きるかごによるライト光の遮断を防止することができる。
【産業上の利用可能性】
【０００９】
後付の自転車用ライトに関して、取付場所の自由度が上がるため、後付の自転車用ライトの更なる普及が期待できる。
【符号の説明】
【００１０】
１  自転車
２  ハンドル
３  自転車かご
４  ＬＥＤライト
５  ライト固定クランプ部品
６Ａ、６Ｂ  細径部取付用アタッチメント
【図１】
0003180749.tif 000003
【図２】
0003180749.tif 000004
(57)【要約】【課題】縦桟と横桟で構成したドアにおいて、縦桟と横桟との接合線が外縁部側の角部になるような組み付けによる審美性の欠如及び角部の破損を解決できるドアを提供する。【解決手段】縦桟と横桟と接合線の外縁部側を角部から離れた位置にあるようにするとともに、縦桟と横桟との接合線に矩形断面の隙間を設ける。矩形断面の隙間とは、一方が開放された溝であり、矩形となるように、溝の底面や側面を形成する４つの角部がほぼ直角である。このことにより接合線が明瞭に見えて審美性が高まるとともに、ドアの角部に衝撃が加わった際に緩衝作用が生じて破損防止効果がある。【選択図】図２
0003180716.tif 000002
【実用新案登録請求の範囲】
【請求項１】
外縁部を縦桟と横桟で構成したドアにおいて、縦桟と横桟と接合線の外縁部側を角部から離れた位置にあるようにするとともに、縦桟と横桟との接合線に矩形断面の隙間を設けたことを特徴とするドア。
【考案の詳細な説明】
【技術分野】
【０００１】  本考案は審美性に優れると共に角部が破損し難いドアに関する。
【背景技術】
【０００２】  縦桟と横桟で構成したドアにおいて、縦桟と横桟の接合線は外縁部側の角部になるよう組み付けられる場合が多い。（特許文献１参照）
【先行技術文献】
【特許文献】
【０００３】
【特許文献１】特開２００１−３０３８６７
【考案の概要】
【考案が解決しようとする課題】
【０００４】  例えば特開２００１−３０３８６７号にみられるように、従来のドアは外縁部を縦桟と横桟で構成する場合に、縦桟と横桟との接合線は外縁部側の角部になるよう組み付けられる場合が多い。そこで、外観も旧態化しており、デザイン性に優れているとはいえないし、角部が破損し易い難点があった。
【課題を解決するための手段】
【０００５】  そこで、外縁部を縦桟と横桟で構成したドアにおいて、縦桟と横桟と接合線の外縁部側を角部から離れた位置にあるようにするとともに、縦桟と横桟との接合線に矩形断面の隙間を設けた。本考案にいう矩形断面の隙間とは、一方が開放された溝であり、矩形となるように、溝の底面や側面を形成する４つの角部がほぼ直角である。このことにより隙間がくっきりと明瞭に見える。
【考案の効果】
【０００６】  ドアにおいて縦桟と横桟と接合線の外縁部側を角部から離れた位置にあるようにするとデザイン性に優れるとともに、ドアの角部が柱や、ドア同士、人の足等との接触時に破損し難くなる。また、縦桟と横桟との接合線に矩形断面の隙間を設けたことにより、接合線が明瞭に見えて審美性が高まるとともに、ドアの角部に衝撃が加わった際に緩衝作用が生じて破損防止効果がある。本考案にいう矩形断面の隙間とは、図２や図３、図５に見られるように、ドアの表面または裏面側に開放面のある矩形の溝状のものである。隙間の深さと幅はドアの強度を損なわない範囲であれば特に限定するものではない。
【図面の簡単な説明】
【０００７】
【図１】  本考案のドアの実施例の正面図である。
【図２】  図１中のＡ−Ａ部拡大図である。
【図３】  図１中のＢ−Ｂ部拡大断面図である。
【図４】  本考案のドアの実施例の背面図である。
【図５】  図４中のＣ−Ｃ部拡大図である。
【考案を実施するための形態】
【０００８】  図から明らかなように、本考案のドアの構造は外縁部を縦桟１と横桟２で構成したものを対象としており、外縁部の縦桟１と横桟２から内側についてはパネルであってもよいし、格子や平行な桟構造であってもよい。縦桟１と横桟２と接合線３はその外縁部側を図２、図５により明瞭に示すように角部４から離れた位置にあるようにしている。縦桟１と横桟２との接合線３には矩形断面の隙間５を設けているが、縦桟１と横桟２に設けたホゾ６とホゾ溝７の寸法を変えて隙間５を形成するようにしている。本実施例では図３に示すように、縦桟１と横桟２との接合部にダボ穴８を設けると共に、ダボ９を埋設して接合強度を更に高めている。
【符号の説明】
【０００９】１  縦桟
２  横桟
３  接合線
４  角部
５  隙間
６  ホゾ
７  ホゾ溝
８  ダボ穴
９  ダボ
【図１】
0003180716.tif 000003
【図２】
0003180716.tif 000004
【図３】
0003180716.tif 000005
【図４】
0003180716.tif 000006
【図５】
0003180716.tif 000007